(57)【要約】【課題】従来の計測制御装置では、主に計測制御部、ユーザーインターフェイス部と、これらを制御するための組込アプリケーションが必要となり、装置ごとにユーザーインターフェイス部と組込みアプリケーションの作成が必要となるため、携帯端末を使うことによってユーザーインターフェイス部と組込アプリケーションを携帯端末のアプリケーションへ移し、携帯端末から制御するシステムを提供する。【解決手段】計測制御パターンデータベース21および計測結果データベース23を実装するサーバー1と、計測制御パターン22によりユーザーインターフェイス部4および汎用入出力部6を制御する計測制御アプリケーション3と、計測制御アプリケーション3を実行する携帯端末2と、計測制御アプリケーション3の指示で汎用入出力部6の入出力の制御を行うことで計測制御部7の制御を行う計測制御装置5と、を具備することを特徴とする【選択図】図１
2013109592.tif 000002
【特許請求の範囲】
【請求項１】
汎用入出力部と計測制御アプリケーションが情報を送受信する手段と、
上記計測制御アプリケーションとサーバーが情報を送受信する手段と、
上記計測制御アプリケーションが汎用入出力部の保持する計測制御パターンコードを取得する手段と、
上記アプリケーションが計測制御パターンコードをサーバーに通知し計測制御パターンの受信と保存をする手段と、
上記アプリケーションが計測制御パターンを解析し、ユーザーインターフェイスを作成する手段と
上記アプリケーションが計測制御パターンを解析し、汎用入出力部へ入出力を指示する手段と、
上記アプリケーションが汎用入出力部から受けた入出力結果を計測制御パターンに基づき解析・表示し、サーバーへ保存する手段と、
上記汎用入出力部からの入出力で計測制御部を制御する手段と、
を備えることを特徴とする携帯端末汎用計測制御システム
【請求項２】
請求項1記載の汎用入出力部は、デジタル入力、デジタル出力、アナログ入力、アナログ出力、シリアル通信、の一つ以上の機能を実装し、携帯端末内の計測制御パターンに記載の入出力指示で汎用入出力部を制御することにより計測制御部を制御することを特徴とする。
【発明の詳細な説明】
【技術分野】
【０００１】
本発明は携帯端末内の１つの計測制御アプリケーションから汎用入出力部を制御することによって、計測制御情報を取得し、サーバーへ計測制御結果を登録するシステムに関する。
【背景技術】
【０００２】
計測制御装置は一般的に、計測制御部とユーザーインターフェイス部とを専用の組込アプリケーションが制御する構成となっている。
【発明の概要】
【発明が解決しようとする課題】
【０００３】
計測制御装置は、計測制御部とユーザーインターフェイス部とを制御するための組込みアプリケーションを必要とするため、計測制御装置毎にユーザーインターフェイス部と組込みアプリケーションが必要となる
【課題を解決するための手段】
【０００４】
本発明は上記の問題を解消するため、サーバーに計測制御装置毎の計測制御パターンを管理し、携帯端末内の計測制御アプリケーションはサーバーの計測制御パターンを取得・管理し、その内容に基づいてユーザーインターフェイスの作成と汎用入出力部を制御し、計測制御装置は外部のアプリケーションから制御可能とする汎用入出力部を備える構成により、計測制御装置を差し替えることによって携帯端末内の一つの計測制御アプリケーションから、様々な計測制御を行うことを可能とする。
【０００５】
そして、携帯端末内のアプリケーションは、汎用入出力部の計測制御結果を変換・補正しサーバーに登録することにより、計測制御結果をインターネットに接続されているコンピュータや携帯端末で参照する事を可能とする。
【発明の効果】
【０００６】
本発明によれば、ユーザーインターフェイス部と組込アプリケーション内の入出力制御部を携帯端末に移すことにより、部品点数の削減ができ、計測制御パターンを携帯端末内の計測制御アプリケーションで解析し汎用入出力部に指示を送ることで計測制御することから、計測制御装置を差し替えることによって一つの計測制御アプリケーションで様々な計測制御装置の制御が可能となり、携帯端末内の計測制御アプリケーションからサーバーに計測結果を登録することにより、計測結果を収集することと部品点数の削減とに効果を奏する。
【図面の簡単な説明】
【０００７】
【図１】本発明の実施例のシステムの構成図である。
【図２】本発明の計測制御パターンを取得し、計測制御するシーケンス図。
【図３】本発明の汎用入出力部のフローチャート。
【発明を実施するための形態】
【０００８】
以下、本発明の具体的形態について、図に基づいて説明する。
【０００９】
図1において本システム構成は、サーバー1とインターネットで接続される携帯端末2と、携帯端末2と同じ通信インターフェイスで接続される計測制御装置5と、サーバー1をインターネットから参照するコンピュータ51から構成される。
【００１０】
サーバー1内の、計測制御パターンデータベース21には計測制御パターンコード25に対応した計測制御パターン22が準備される。
携帯端末2は、計測制御アプリケーション3が準備される。
計測制御パターン22は、汎用入出力部6への指示と、計測制御アプリケーション3のユーザーインターフェイス部4の設定を可能とするパターンを記述することができる。
計測制御パターンコード25は、計測制御装置5を特定するための情報が準備される。
汎用入出力部6は、携帯端末2と通信インターフェイスにて接続され、計測制御アプリケーション3の指示で入出力制御を行う組込アプリケーションが準備される。
計測制御装置5と計測制御部7は、取り外すことができてもよい。
計測パターンデータベース21と計測結果データベース23は別のサーバーに実装されていてもよい。
【００１１】
図2では、本システムを構成するサーバー1、計測制御アプリケーション3、汎用入出力部6、計測制御部7の、計測制御アプリケーション3の起動から計測終了までの処理シーケンスを示す。
【００１２】
図2のシーケンスは、計測制御アフ゜リケーション3を起動後、汎用入出力部6に計測パターンコード25を要求する。
汎用入出力部6は、計測制御パターンコードを計測制御アフ゜リケーション3に返却する。
計測制御アフ゜リケーション3は、受け取った計測制御パターンコード25と一致する計測制御パターンを保持しているか検索し、一致する計測制御パターンを保持してなければ、サーバー１へ計測制御パターンコード25と一致する計測制御パターンの要求を行う。
サーバー１は、計測制御パターンデータベース21から計測パターンコード25と一致する計測制御パターンを返却し、これを受け取った計測制御アプリケーション3は、計測制御パターン22として保存する。
計測制御パターン22を特定すると、計測制御パターン22に従い汎用入出力部6へ入出力を指示する。
指示を受けた汎用入出力部6は計測制御部7へ出力を行い、計測制御部7からの信号を入力する。
汎用入出力部6は、受信した信号を計測制御アフ゜リケーション3へ返却する。
計測制御アフ゜リケーション3は、計測パターン22に従い受信した計測結果の変換・補正を行い、表示・保存を行なった後、計測パターン22に従い計測結果データベース23へ値を登録する
【００１３】
図3では、本システムの汎用入出力部6の処理シーケンスを示していいる。
汎用入出力部6は、計測制御アプリケーションからの指示を待ち、指示に対応した処理を行い結果を返却する機能を実装している。
【産業上の利用可能性】
【００１４】
本発明に係る計測制御装置は、ユーザーインターフェイス部を携帯端末へ移すことにより部品点数を削減できるため、コスト削減が期待できる。
本発明に係る携帯端末で動作する１つの計測制御アプリケーションは、計測制御パターンを切り替えることにより様々な計測制御装置が利用できることから、利便性の向上が期待できる。
【符号の説明】
【００１５】
1 サーバー
2 携帯端末（携帯電話、スマートフォン、タブレットＰＣ）
3 計測制御アプリケーション
4 ユーザーインターフェイス部
5 計測制御装置
6 汎用入出力部
7 計測制御部
21 計測制御パターンデータベース
22 計測制御パターン
23 計測結果データベース
24 計測結果
25 計測制御パターンコード
51 コンピュータ
【図１】
2013109592.tif 000003
【図２】
2013109592.tif 000004
【図３】
2013109592.tif 000005